【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
バリアブルデータプリントに用いるコンテンツに関する指定を含むコンテンツデータ及び対応するジョブチケットに基づくジョブをレコード単位で管理するジョブ管理装置であって、
前記コンテンツデータからメタデータを抽出するメタデータ抽出手段と、
抽出した前記メタデータをジョブの処理の制御のための制御用メタデータとジョブに関する表示に用いる表示用メタデータとに分類するメタデータ分類手段と、
前記メタデータ分類手段により表示用メタデータに分類されたメタデータの値を用いた、前記ジョブをレコード単位での表示を行うための情報を生成する生成手段と
を有し、
前記メタデータ分類手段は、レコードに対して設定されるメタデータを前記表示用メタデータに分類し、ジョブチケットが参照するメタデータを前記制御用メタデータに分類することを特徴とするジョブ管理装置。
【請求項２】
前記ジョブチケットにおいて、前記メタデータ分類手段により制御用メタデータに分類されたメタデータを参照するための情報を編集するジョブチケット編集手段を更に有することを特徴とする請求項１に記載のジョブ管理装置。
【請求項３】
前記生成手段は、前記ジョブをレコード単位にて表示を行った際のユーザからの指示に基づいて、レコード単位の印刷の指示または処理の設定を編集するための表示を行うための情報を生成することを特徴とする請求項１または２に記載のジョブ管理装置。
【請求項４】
データベースにアクセスして情報を取得するためのレコード単位の識別子と前記制御用メタデータを除き、前記表示用メタデータを削除することを特徴とする請求項１乃至３の何れか１項に記載のジョブ管理装置。
【請求項５】
ジョブを処理する外部装置へ前記コンテンツデータと前記ジョブチケットとを送信し、前記外部装置から当該ジョブの処理のステータスを示す返却データを受信する受信手段を更に有し、
前記生成手段は、前記受信手段により受信した返却データに基づき、当該ジョブのレコード単位のステータスを識別できる表示を行うための情報を生成することを特徴とする請求項１乃至４の何れか１項に記載のジョブ管理装置。
【請求項６】
前記メタデータ分類手段は、メタデータを表示用メタデータ、制御用メタデータ、及び表示用と制御用の両方であるメタデータに分類し、
前記メタデータ分類手段により表示用と制御用の両方であるメタデータに分類されたメタデータを、値が等しい表示用メタデータと制御用メタデータとの２つのメタデータを含むよう前記コンテンツデータを編集するコンテンツデータ編集手段と、
前記コンテンツデータ編集手段により編集されたコンテンツデータを保持する保持手段と
を更に有することを特徴とする請求項１乃至５の何れか１項に記載のジョブ管理装置。
【請求項７】
バリアブルデータプリントに用いるコンテンツに関する指定を含むコンテンツデータ及び対応するジョブチケットに基づくジョブを管理するジョブ管理装置であって、
前記コンテンツデータからメタデータを抽出するメタデータ抽出手段と、
抽出した前記メタデータを用途に応じて分類するメタデータ分類手段と、
前記メタデータ分類手段の分類結果に基づいて、前記コンテンツデータにおいて前記メタデータの用途を識別する識別情報が付与されるように編集するコンテンツデータ編集手段と、
前記メタデータ分類手段の分類結果に基づいて、前記ジョブチケットにおける前記メタデータを参照するための情報を編集するジョブチケット編集手段と、
編集した前記コンテンツデータと前記ジョブチケットを保持する保持手段と
を有することを特徴とするジョブ管理装置。
【請求項８】
バリアブルデータプリントに用いるコンテンツに関する指定を含むコンテンツデータ及び対応するジョブチケットに基づくジョブをレコード単位で管理するジョブ管理装置の制御方法であって、
前記ジョブ管理装置のメタデータ抽出手段が、前記コンテンツデータからメタデータを抽出するメタデータ抽出工程と、
前記ジョブ管理装置のメタデータ分類手段が、抽出した前記メタデータをジョブの処理の制御のための制御用メタデータとジョブに関する表示に用いる表示用メタデータとに分類するメタデータ分類工程と、
前記ジョブ管理装置の生成手段が、前記メタデータ分類工程により表示用メタデータに分類されたメタデータの値を用いた、前記ジョブをレコード単位での表示を行うための情報を生成する生成工程と
を有し、
前記メタデータ分類工程において、レコードに対して設定されるメタデータを前記表示用メタデータに分類し、ジョブチケットが参照するメタデータを前記制御用メタデータに分類することを特徴とする制御方法。
【請求項９】
バリアブルデータプリントに用いるコンテンツに関する指定を含むコンテンツデータ及び対応するジョブチケットに基づくジョブを管理するジョブ管理装置の制御方法であって、
前記ジョブ管理装置のメタデータ抽出手段が、前記コンテンツデータからメタデータを抽出するメタデータ抽出工程と、
前記ジョブ管理装置のメタデータ分類手段が、抽出した前記メタデータを用途に応じて分類するメタデータ分類工程と、
前記ジョブ管理装置のコンテンツデータ編集手段が、前記メタデータ分類工程の分類結果に基づいて、前記コンテンツデータにおいて前記メタデータの用途を識別する識別情報が付与されるように編集するコンテンツデータ編集工程と、
前記ジョブ管理装置のジョブチケット編集手段が、前記メタデータ分類工程の分類結果に基づいて、前記ジョブチケットにおける前記メタデータを参照するための情報を編集するジョブチケット編集工程と、
前記ジョブ管理装置の保持手段が、編集した前記コンテンツデータと前記ジョブチケットを保持する保持工程と
を有することを特徴とする制御方法。
【請求項１０】
コンピュータを、
コンテンツデータからメタデータを抽出するメタデータ抽出手段、
抽出した前記メタデータをジョブの処理の制御のための制御用メタデータとジョブに関する表示に用いる表示用メタデータとに分類するメタデータ分類手段、
前記メタデータ分類手段により表示用メタデータに分類されたメタデータの値を用いた、前記ジョブをレコード単位での表示を行うための情報を生成する生成手段
として機能させ、
前記メタデータ分類手段は、レコードに対して設定されるメタデータを前記表示用メタデータに分類し、ジョブチケットが参照するメタデータを前記制御用メタデータに分類することを特徴とするプログラム。
【請求項１１】
コンピュータを、
コンテンツデータからメタデータを抽出するメタデータ抽出手段、
抽出した前記メタデータを用途に応じて分類するメタデータ分類手段、
前記メタデータ分類手段の分類結果に基づいて、前記コンテンツデータにおいて前記メタデータの用途を識別する識別情報が付与されるように編集するコンテンツデータ編集手段、
前記メタデータ分類手段の分類結果に基づいて、ジョブチケットにおける前記メタデータを参照するための情報を編集するジョブチケット編集手段、
編集した前記コンテンツデータと前記ジョブチケットを保持する保持手段
として機能させるためのプログラム。
【手続補正２】
【補正対象書類名】明細書
【補正対象項目名】０００８
【補正方法】変更
【補正の内容】
【０００８】
上記課題を解決するために、本願発明は、以下の構成を有する。すなわち、バリアブルデータプリントに用いるコンテンツに関する指定を含むコンテンツデータ及び対応するジョブチケットに基づくジョブをレコード単位で管理するジョブ管理装置であって、前記コンテンツデータからメタデータを抽出するメタデータ抽出手段と、抽出した前記メタデータをジョブの処理の制御のための制御用メタデータとジョブに関する表示に用いる表示用メタデータとに分類するメタデータ分類手段と、前記メタデータ分類手段により表示用メタデータに分類されたメタデータの値を用いた、前記ジョブをレコード単位での表示を行うための情報を生成する生成手段とを有し、前記メタデータ分類手段は、レコードに対して設定されるメタデータを前記表示用メタデータに分類し、ジョブチケットが参照するメタデータを前記制御用メタデータに分類する。